(57)【要約】【課題】  種々のユーザに、ユーザに応じた服飾品データを公開しコーディネートを募集することが可能なサーバ、服飾品提案システム等を提供する。【解決手段】  ネットワーク１０を介して、コーディネートを募集するユーザの募集者端末３、コーディネートを提案する提案者の提案者端末７とサーバ５とが接続される。募集者端末３からは、募集者の服飾品の画像データ１４３を含む服飾品データ２１１が、公開制限情報１４４と紐付けてサーバ５に登録される。提案者端末７には、公開制限情報１４５に応じて提案者に公開が許可された服飾品データ２１１が商品データ２１３とともにサーバ５から送信される。提案者は服飾品データ２１１と商品データ２１３よりコーディネートを選択し、コーディネートデータ２１５としてサーバ５に登録する。募集者は、コーディネートデータ２１５をサーバ５から受信して募集者端末３に表示しコーディネートの参考にすることができる。【選択図】図１
2012243052.tif 000002
【特許請求の範囲】
【請求項１】
コーディネートを募集する募集者であるユーザの募集者端末、およびコーディネートを提案する提案者であるユーザの提案者端末とネットワークを介して接続されるサーバであって、
前記募集者端末から登録を受け付けた、ユーザの服飾品の画像を含む服飾品データを、前記提案者への公開を制限するための公開制限情報と紐付けて記憶する服飾品データ記憶手段と、
前記提案者端末に、前記公開制限情報に応じて前記提案者に公開が許可された服飾品データを送信する服飾品データ送信手段と、
前記提案者端末から登録を受け付けた、前記提案者端末で前記服飾品データより選択されたコーディネートを示すコーディネートデータを記憶するコーディネートデータ記憶手段と、
前記募集者端末に前記コーディネートデータを送信しコーディネート表示画面として表示させるコーディネート送信手段と、
を有することを特徴とするサーバ。
【請求項２】
前記募集者の識別情報と前記提案者の識別情報を紐付けて記憶する関係者データ記憶手段を更に有し、
前記公開制限情報は、前記募集者の識別情報に紐づく識別情報を有する提案者に公開を許可するか否かを含むことを特徴とする請求項１に記載のサーバ。
【請求項３】
前記提案者の識別情報と前記提案者の属性情報を紐付けて記憶するユーザデータ記憶手段を更に有し、
前記公開制限情報は、所定の属性情報を有する提案者に公開を許可するか否かを含むことを特徴とする請求項１または請求項２に記載のサーバ。
【請求項４】
前記提案者のポイントを示すポイントデータを記憶するポイントデータ記憶手段と、
前記募集者端末から、前記コーディネートデータのコーディネートに対するコーディネート評価データを受信するコーディネート評価受信手段と、
前記提案者にポイントを付与するポイント付与手段と、
を更に有し、
前記ポイント付与手段は、前記コーディネート評価データに応じて、前記コーディネートデータを登録した提案者にポイントを付与することを特徴とする請求項１から請求項３のいずれかに記載のサーバ。
【請求項５】
商品である服飾品の画像を含む商品データを記憶する商品データ記憶手段を更に有し、
前記服飾品データ送信手段は、前記提案者端末に前記服飾品データとともに前記商品データを送信し、
前記コーディネート記憶手段は、前記提案者端末から登録を受け付けた、前記提案者端末で前記服飾品データと前記商品データより選択されたコーディネートを示すコーディネートデータを記憶することを特徴とする請求項１から請求項４のいずれかに記載のサーバ。
【請求項６】
前記コーディネート表示画面で選択された、前記コーディネートデータに含まれる商品データの商品が購入された場合に、前記提案者に対し特典を与えるためのサービス情報を付与するサービス付与手段を更に有することを特徴とする請求項５記載のサーバ。
【請求項７】
コーディネートを募集する募集者であるユーザの募集者端末、およびコーディネートを提案する提案者であるユーザの提案者端末とサーバとがネットワークを介して接続される服飾コーディネート提案システムであって、
前記募集者端末は、
ユーザの服飾品の画像を含む服飾品データを、前記提案者への公開を制限するための公開制限情報と紐付けて前記サーバに登録する服飾品データ登録手段と、
前記サーバからコーディネートデータを受信しコーディネート表示画面として表示するコーディネート受信手段と、
を有し、
前記サーバは、
前記服飾品データと前記公開制限情報を紐付けて記憶する服飾品データ記憶手段と、
前記提案者端末に、前記公開制限情報に応じて前記提案者に公開が許可された服飾品データを送信する服飾品データ送信手段と、
前記コーディネートデータを記憶するコーディネートデータ記憶手段と、
前記募集者端末に前記コーディネートデータを送信するコーディネート送信手段と、
を有し、
前記提案者端末は、
前記サーバから前記服飾品データを受信する服飾品データ受信手段と、
前記服飾品データからコーディネートの選択を行うコーディネート選択手段と、
前記コーディネートを示すコーディネートデータを前記サーバに登録するコーディネート登録手段と、
を有することを特徴とする服飾コーディネート提案システム。
【請求項８】
コーディネートを募集する募集者であるユーザの募集者端末、およびコーディネートを提案する提案者であるユーザの提案者端末とサーバとがネットワークを介して接続される服飾コーディネート提案システムにおける服飾コーディネート提案方法であって、
前記募集者端末が、
ユーザの服飾品の画像を含む服飾品データを、前記提案者への公開を制限するための公開制限情報と紐付けて前記サーバに登録する服飾品データ登録ステップと、
前記サーバからコーディネートデータを受信しコーディネート表示画面として表示するコーディネート受信ステップと、
を実行し、
前記サーバが、
前記服飾品データと前記公開制限情報を紐付けて記憶する服飾品データ記憶手段と、前記コーディネートデータを記憶するコーディネートデータ記憶手段とを有し、
前記提案者端末に、前記公開制限情報に応じて前記提案者に公開が許可された服飾品データを送信する服飾品データ送信ステップと、
前記募集者端末に前記コーディネートデータを送信するコーディネート送信ステップと、
を実行し、
前記提案者端末が、
前記サーバから前記服飾品データを受信する服飾品データ受信ステップと、
前記服飾品データからコーディネートの選択を行うコーディネート選択ステップと、
前記コーディネートを示すコーディネートデータを前記サーバに登録するコーディネート登録ステップと、
を実行することを特徴とする服飾コーディネート提案方法。
【請求項９】
コンピュータを請求項１から請求項６のいずれかに記載のサーバとして機能させるためのプログラム。
【請求項１０】
コンピュータを請求項１から請求項６のいずれかに記載のサーバとして機能させるためのプログラムを記憶した記憶媒体。
【発明の詳細な説明】
【技術分野】
【０００１】
本発明は、服飾品データを公開しコーディネートを募集するためのサーバ、服飾コーディネート提案システム、プログラムおよび記録媒体に関するものである。
【背景技術】
【０００２】
多くの消費者が、既に所持している服飾品等をどのように組み合わせるかや、これらの服飾品と組み合わせてどのような商品を購入するかについて他人に助言を求めたいという要望を持っている。特に服飾品は流行の移り変わりが早く、所持している服飾品の組み合わせ、あるいは新たに購入した商品との組み合わせ次第ではまだ使用できるにもかかわらず、ほとんど着用する機会もないままである場合も多い。
【０００３】
このため、ユーザが所持している服飾品の情報をサーバに登録し、ネットワークを介してファッションアドバイザーに閲覧させ、利用者が服飾品のコーディネートについての情報を得るシステムが提案されている（特許文献１参照）。
【先行技術文献】
【特許文献】
【０００４】
【特許文献１】特開２００５−１８５１８号公報
【発明の概要】
【発明が解決しようとする課題】
【０００５】
ところで、このようなコーディネートは、一般的なファッションの知識を有する専門家にだけではなく、利用者本人の趣味や趣向を把握している知人に依頼したいという場合もある。このように、所持している服飾品を知人や専門家などに公開することで、その服飾品を用いたコーディネートを広く提案してもらうことが可能となる。
【０００６】
そして、このような場合では、特定の提案者にのみ公開しコーディネートを募集したい服飾品が存在することが考えられる。例えば、知人との共通の趣向から異なるアイテムや、流行遅れのアイテムなどでは、知人には公開せず専門家のみに公開したい場合や、あるいは専門家には公開せず知人のみに公開したい場合がある。これに対し、特許文献１のシステムは、様々な提案者に応じて服飾品の公開を制限できるものではなかった。
【０００７】
本発明は、このような問題に鑑みてなされたもので、種々のユーザに、ユーザに応じた服飾品データを公開しコーディネートを募集することが可能なサーバ、服飾品コーディネート提案システム等を提供することを目的とする。
【課題を解決するための手段】
【０００８】
前述した目的を達成するため、第１の発明は、コーディネートを募集する募集者であるユーザの募集者端末、およびコーディネートを提案する提案者であるユーザの提案者端末とネットワークを介して接続されるサーバであって、前記募集者端末から登録を受け付けた、ユーザの服飾品の画像を含む服飾品データを、前記提案者への公開を制限するための公開制限情報と紐付けて記憶する服飾品データ記憶手段と、前記提案者端末に、前記公開制限情報に応じて前記提案者に公開が許可された服飾品データを送信する服飾品データ送信手段と、前記提案者端末から登録を受け付けた、前記提案者端末で前記服飾品データより選択されたコーディネートを示すコーディネートデータを記憶するコーディネートデータ記憶手段と、前記募集者端末に前記コーディネートデータを送信しコーディネート表示画面として表示させるコーディネート送信手段と、を有することを特徴とするサーバである。
【０００９】
第１の発明によれば、コーディネートを募集するユーザは募集者端末を用いて服飾品データをサーバに登録し公開する。そして、様々なユーザが提案したコーディネートを募集者端末に表示させて閲覧し、自身のコーディネートの参考とすることができる。この時、服飾品データに公開制限情報を付すので、コーディネートの提案者に応じて公開する服飾品データを限定したいというユーザの要望に応えることができる。
【００１０】
前記サーバは、前記募集者の識別情報と前記提案者の識別情報を紐付けて記憶する関係者データ記憶手段を更に有し、前記公開制限情報は、前記募集者の識別情報に紐づく識別情報を有する提案者に公開を許可するか否かを含むことが望ましい。
また、前記サーバは、前記提案者の識別情報と前記提案者の属性情報を紐付けて記憶するユーザデータ記憶手段を更に有し、前記公開制限情報は、所定の属性情報を有する提案者に公開を許可するか否かを含むことが望ましい。
【００１１】
上記の構成により、例えば、関係者としてコーディネートを募集するユーザの知人を特定し、ファッションの趣味趣向をよく知る知人からコーディネートを募集したり、提案者の属性情報としてアパレル関係者などファッションの専門家を特定しておき、専門家からコーディネートを募集することなどが可能である。この時、知人、または専門家にのみ公開したい服飾品データや、公開したくない服飾品データの指定を行うことが可能である。ユーザの関係者、または属性情報としてはこれに限らず様々に定めることができ、ユーザとの関係やユーザの属性に応じて、様々な提案者に対し服飾品データの公開制限を行うことができる。
【００１２】
前記サーバは、前記提案者のポイントを示すポイントデータを記憶するポイントデータ記憶手段と、前記募集者端末から、前記コーディネートデータのコーディネートに対するコーディネート評価データを受信するコーディネート評価受信手段と、前記提案者にポイントを付与するポイント付与手段と、を更に有し、前記ポイント付与手段は、前記コーディネート評価データに応じて、前記コーディネートデータを登録した提案者にポイントを付与することが望ましい。
【００１３】
上記の構成により、コーディネートの評価に応じて、提案者にポイントを付与することで、提案者にコーディネートを提案する動機づけを行うことが可能になる。
【００１４】
前記サーバは、商品である服飾品の画像を含む商品データを記憶する商品データ記憶手段を更に有し、前記服飾品データ送信手段は、前記提案者端末に前記服飾品データとともに前記商品データを送信し、前記コーディネート記憶手段は、前記提案者端末から登録を受け付けた、前記提案者端末で前記服飾品データと前記商品データより選択されたコーディネートを示すコーディネートデータを記憶することが望ましい。
また、前記サーバは、前記コーディネート表示画面で選択された、前記コーディネートデータに含まれる商品データの商品が購入された場合に、前記提案者に対し特典を与えるためのサービス情報を付与するサービス付与手段を更に有することが望ましい。
【００１５】
上記の構成により、ユーザの服飾品に市販の商品も合わせてコーディネートの募集、提案を行うことができ、コーディネートの幅が広がる。また、コーディネートを募集するユーザが、自身の服飾品にあわせて商品を購入する際の参考ともなる。
また、募集者が商品データの購入を行った場合に、コーディネートの提案者にサービス情報を付与することで、提案者にインセンティブを与えることができ、提案者にコーディネートを提案する更なる動機づけを行うことが可能になる。サービス情報の付与は、例えば、提案者の識別情報に紐付けて、商品購入時に金銭の代わりに使用できるポイントを付与したり、商品購入時の割引サービスを行うための割引率などの情報を付与することにより行うことができる。
【００１６】
第２の発明は、コーディネートを募集する募集者であるユーザの募集者端末、およびコーディネートを提案する提案者であるユーザの提案者端末とサーバとがネットワークを介して接続される服飾コーディネート提案システムであって、前記募集者端末は、ユーザの服飾品の画像を含む服飾品データを、前記提案者に対する公開制限情報と紐付けて前記サーバに登録する服飾品データ登録手段と、前記サーバからコーディネートデータを受信しコーディネート表示画面として表示するコーディネート受信手段と、を有し、前記サーバは、前記服飾品データと前記公開制限情報を紐付けて記憶する服飾品データ記憶手段と、前記提案者端末に、前記公開制限情報に応じて前記提案者に公開が許可された服飾品データを送信する服飾品データ送信手段と、前記コーディネートデータを記憶するコーディネートデータ記憶手段と、前記募集者端末に前記コーディネートデータを送信するコーディネート送信手段と、を有し、前記提案者端末は、前記サーバから前記服飾品データを受信する服飾品データ受信手段と、前記服飾品データからコーディネートの選択を行うコーディネート選択手段と、前記コーディネートを示すコーディネートデータを前記サーバに登録するコーディネート登録手段と、を有することを特徴とする服飾コーディネート提案システムである。
【００１７】
第３の発明は、コーディネートを募集する募集者であるユーザの募集者端末、およびコーディネートを提案する提案者であるユーザの提案者端末とサーバとがネットワークを介して接続される服飾コーディネート提案システムにおける服飾コーディネート提案方法であって、前記募集者端末が、ユーザの服飾品の画像を含む服飾品データを、前記提案者に対する公開制限情報と紐付けて前記サーバに登録する服飾品データ登録ステップと、前記サーバからコーディネートデータを受信しコーディネート表示画面として表示するコーディネート受信ステップと、を実行し、前記サーバが、前記服飾品データと前記公開制限情報を紐付けて記憶する服飾品データ記憶手段と、前記コーディネートデータを記憶するコーディネートデータ記憶手段とを有し、前記提案者端末に、前記公開制限情報に応じて前記提案者に公開が許可された服飾品データを送信する服飾品データ送信ステップと、前記募集者端末に前記コーディネートデータを送信するコーディネート送信ステップと、を実行し、前記提案者端末が、前記サーバから前記服飾品データを受信する服飾品データ受信ステップと、前記服飾品データからコーディネートの選択を行うコーディネート選択ステップと、前記コーディネートを示すコーディネートデータを前記サーバに登録するコーディネート登録ステップと、を実行することを特徴とする服飾コーディネート提案方法である。
【００１８】
第４の発明はコンピュータを第１の発明のサーバとして機能させるためのプログラムである。
【００１９】
第５の発明はコンピュータを第１の発明のサーバとして機能させるためのプログラムを記憶した記憶媒体である。
【発明の効果】
【００２０】
本発明によれば、種々のユーザに、ユーザに応じた服飾品データを公開しコーディネートを募集することが可能なサーバ、服飾品コーディネート提案システム等を提供することができる。
【図面の簡単な説明】
【００２１】
【図１】本発明の実施形態に係る服飾コーディネート提案システム１の構成を示す図
【図２】サーバ５および募集者端末３のハードウェア構成を示す図
【図３】募集者端末３、サーバ５、提案者端末７の機能構成を示す図
【図４】服飾品データ２１１、コーディネートデータ２１５、ユーザデータ２１８、関係者データ２１９を説明する図
【図５】服飾コーディネート提案システム１の処理の流れを示すフローチャート
【図６】服飾コーディネート提案システム１の処理の流れを示すフローチャート
【図７】服飾コーディネート提案システム１の処理の流れを示すフローチャート
【図８】コーディネート選択画面２１を示す図
【図９】コーディネート表示画面２５を示す図
【発明を実施するための形態】
【００２２】
以下、図面に基づいて本発明の実施形態について説明する。
【００２３】
図１は本発明の実施形態に係る服飾コーディネート提案システム１の構成を示す図である。図１に示すように、服飾コーディネート提案システム１では、サーバ５と募集者端末３、提案者端末７がネットワーク１０を介して接続される。
【００２４】
募集者端末３は、服飾品のコーディネートの募集を行うユーザである募集者が使用するパーソナルコンピュータ等の端末である。ここで、服飾品とはユーザが着用するもの全般を指すものとする。
サーバ５は、服飾品データやコーディネートデータ等を記憶するとともに、募集者端末３や提案者端末７との間で服飾品データやコーディネートデータ等の送受信を行う。
提案者端末７は、服飾品のコーディネートを提案するユーザである提案者が使用するパーソナルコンピュータ等の端末である。提案者は、ユーザの知人や、アパレル業者などファッションの専門家、あるいはそれ以外の他人などである。
【００２５】
図２は、サーバ５および募集者端末３のハードウェア構成の例を示す図である。
図２（ａ）はサーバ５のハードウェア構成の例であり、サーバ５は、制御部１１、記憶部１２、メディア入出力部１３、通信制御部１４、入力部１５、表示部１６、周辺機器Ｉ／Ｆ部１７等が、バス１８を介して接続された構成である。
【００２６】
制御部１１はＣＰＵ（Ｃｅｎｔｒａｌ  Ｐｒｏｃｅｓｓｉｎｇ  Ｕｎｉｔ）、
ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部１２、ＲＯＭ、記憶媒体等に格納されるプログラムをＲＡＭ上のワークメモリ領域に呼び出して実行し、バス１８を介して接続された各装置を駆動制御し、サーバ５が行う後述する処理を実現する。ＲＯＭは不揮発性メモリであり、ブートプログラムやＢＩＯＳ等のプログラム、データ等を恒久的に保持している。ＲＡＭは揮発性メモリであり、記憶部１２、ＲＯＭ、記憶媒体等からロードしたプログラム、データ等を一時的に保持するとともに、制御部１１が各処理を行う為に使用するワークエリアを備える。
【００２７】
記憶部１２は、ＨＤＤ（ハードディスクドライブ）等であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をサーバ５に実行させるためのアプリケーションプログラムが格納されている。
これらの各プログラムコードは、制御部１１により必要に応じて読み出されてＲＡＭに移され、ＣＰＵに読み出されて各種の手段として実行される。
【００２８】
メディア入出力部１３（ドライブ装置）は、データの入出力を行い、例えば、ＣＤドライブ（−ＲＯＭ、―Ｒ、−ＲＷ等）、ＤＶＤドライブ（−ＲＯＭ、―Ｒ、−ＲＷ等）等のメディア入出力装置を有する。
通信制御部１４は、通信制御装置、通信ポート等を有し、他のサーバ等の装置との通信を媒介する通信インタフェースであり、ネットワークを介して他の装置との通信制御を行う。ネットワークは、有線、無線を問わない。
【００２９】
入力部１５は、データの入力を行い、例えば、キーボード、マウス等のポインティングデバイス、テンキー等の入力装置を有する。
表示部１６は、ＣＲＴモニタ、液晶パネル等のディスプレイ装置、およびディスプレイ装置と連携して表示機能を実現するための論理回路等を有する。
【００３０】
周辺機器Ｉ／Ｆ（インタフェース）部１７は、周辺機器を接続させるためのポートであり、周辺機器Ｉ／Ｆ部１７を介して周辺機器とのデータ送受信を行う。周辺機器Ｉ／Ｆ部１７は、ＵＳＢ等で構成されており、通常複数の周辺機器Ｉ／Ｆを有する。周辺機器との接続形態は有線、無線を問わない。
バス１８は、各装置間の制御信号、データ信号等の授受を媒介する経路である。
【００３１】
図２（ｂ）は募集者端末３のハードウェア構成の例である。募集者端末３は、制御部３１、記憶部３２、メディア入出力部３３、通信制御部３４、入力部３５、表示部３６、周辺機器Ｉ／Ｆ部３７等が、バス３８により接続されて構成される。各部の構成は、サーバ５の制御部１１、記憶部１２、メディア入出力部１３、通信制御部１４、入力部１５、表示部１６、周辺機器Ｉ／Ｆ部１７、バス１８等とそれぞれ同様である。なお、提案者端末７も募集者端末３と同様のハードウェア構成を有する。なお、募集者端末３や提案者端末７は上記の構成を有するパーソナルコンピュータ等のほか、携帯電話機などのような、制御部や入力部、通信制御部等を有する携帯端末でもよい。
【００３２】
次に図３を参照して、募集者端末３、サーバ５、提案者端末７の機能構成について説明する。図３（ａ）は募集者端末３の機能構成、図３（ｂ）はサーバ５の機能構成、図３（ｃ）は提案者端末７の機能構成を示す。
【００３３】
図３（ａ）に示すように、募集者端末３は服飾品データ登録手段１０１、コーディネート受信手段１０３、コーディネート評価手段１０５を有する。
【００３４】
服飾品データ登録手段１０１は、募集者端末３の制御部３１が、ユーザの服飾品の画像を含む服飾品データ２１１を、公開制限情報とともにサーバ５に登録すべく送信するものである。
コーディネート受信手段１０３は、募集者端末３の制御部３１が、サーバ５からコーディネートデータ２１５を受信しコーディネート表示画面として表示するものである。
コーディネート評価手段１０５は、募集者端末３の制御部３１が、コーディネートデータ２１５のコーディネートに対するコーディネート評価データをサーバ５に送信するものである。
【００３５】
図３（ｂ）に示すように、サーバ５は、服飾品データ送信手段２０１、コーディネート送信手段２０３、コーディネート評価受信手段２０５、ポイント付与手段２０７、サービス付与手段２０９等を有する。
【００３６】
服飾品データ送信手段２０１は、サーバ５の制御部１１が、提案者端末７に、公開制限情報に応じて提案者に公開が許可された服飾品データ２１１を送信するものである。
コーディネート送信手段２０３は、サーバ５の制御部１１が、コーディネートデータ２１５を募集者端末３に送信するものである。
コーディネート評価受信手段２０５は、サーバ５の制御部１１が、コーディネート評価データを募集者端末３から受信するものである。
ポイント付与手段２０７は、サーバ５の制御部１１が、提案者のポイントデータ２１７に対し、ポイントの付与を行うものである。
サービス付与手段２０９は、募集者がコーディネートデータ２１５に含まれる商品データ２１３の商品を購入した場合に、サーバ５の制御部１１が、コーディネートの提案者に特典を与えるためのサービス情報をサービスデータ２２０として提案者に付与するものである。
【００３７】
サーバ５の記憶部１２には、服飾品データ２１１、商品データ２１３、コーディネートデータ２１５、ポイントデータ２１７、ユーザデータ２１８、関係者データ２１９、サービスデータ２２０等が記憶される。記憶部１２は各データの記憶手段として機能する。
【００３８】
服飾品データ２１１は、サーバ５が募集者端末３から受信して記憶する、ユーザの所持する服飾品についてのデータである。
【００３９】
図４（ａ）を用いて、服飾品データ２１１の構成について説明する。
図４（ａ）に示すように、服飾品データ２１１は、アイテム名１４１、画像データ１４３、アイテムスペック１４４（ブランド１４４ａ、色１４４ｂ、素材１４４ｃ、サイズ１４４ｄ）等を有し、公開制限情報１４５と紐付けられる。
【００４０】
アイテム名１４１は、服飾品のカテゴリを示すもので、帽子や靴、トップス、インナー、ボトムス、アクセサリーなどである。
画像データ１４３は、ユーザの所持する服飾品の画像データであり、例えばユーザが撮影した服飾品の画像のデータである。
アイテムスペック１４４は服飾品のスペックを示す付加情報である。本実施形態では、アイテムスペック１４４として、ブランド１４４ａ、色１４４ｂ、素材１４４ｃ、サイズ１４４ｄを記録するが、これに限ることはない。また、アイテムスペック１４４の他にも種々の情報を服飾品データ２１１に関する付加情報として記録することができる。
【００４１】
公開制限情報１４５は、提案者に応じて服飾品データ２１１の公開を制限するための情報である。公開制限情報１４５は、全体公開可否情報１４５ａ、知人公開可否情報１４５ｂ、専門家公開可否情報１４５ｃ、他人公開可否情報１４５ｄよりなる。
【００４２】
全体公開可否情報１４５ａは、全てのユーザ（提案者）に服飾品データ２１１の公開を行うか否かを定めるものである。全ての提案者に公開を行う場合、以下説明するユーザの知人、ファッションの専門家、あるいはそれ以外の他人の全てに対して服飾品データ２１１を公開する。全ての提案者に公開を行わない場合、以下の知人公開可否情報１４５ｂ、専門家公開可否情報１４５ｃ、他人公開可否情報１４５ｄに応じて服飾品データ２１１の公開が制限される。
【００４３】
知人公開可否情報１４５ｂは、関係者データ２１９によりユーザの知人として定められる提案者への服飾品データ２１１の公開を行うか否かを定めるものである。
専門家公開可否情報１４５ｃは、ユーザデータ２１８によりファッションの専門家として定められる提案者に対して服飾品データ２１１を公開するか否かを定めるものである。
他人公開可否情報１４５ｄは、上記の知人や専門家以外の他人である提案者に対し服飾品データ２１１を公開するか否かを定めるものである。
なお、公開制限情報１４５としてはこれらに限ることはなく、上記と同様にして、種々の提案者に応じ様々に設定することができる。
【００４４】
商品データ２１３は、ユーザの服飾品データ２１１以外にサーバ５に登録される、市販の商品である服飾品のデータである。商品データ２１３は、上記の服飾品データ２１１と同様、アイテム名１４１、画像データ１４３やアイテムスペック１４４等を記録したものである。ただし上記のような公開制限情報１４５は設定されず、全ての提案者に対し公開される。なお、商品データ２１３は省略し、ユーザの服飾品データ２１１のみ記憶することも可能である。
【００４５】
コーディネートデータ２１５は、提案者が作成した服飾品のコーディネートを提案者端末７から受信し記憶したデータである。
図４（ｂ）に示すように、コーディネートデータ２１５は、アイテム毎に提案者により選択された服飾品データ２１１もしくは商品データ２１３（アイテム名１４１、画像データ１４３、およびアイテムスペック１４４）からなる。
【００４６】
ポイントデータ２１７はユーザに付与されるポイントを、ユーザの識別情報であるユーザＩＤと紐付けて記憶するデータである。コーディネートに対する募集者の評価に応じて、コーディネートの提案者であるユーザにはポイントが付される。例えば、ポイントの大きいユーザはファッションコーディネートの上級者であるというステータスが得られ、コーディネートの募集者から信頼される材料となり、コーディネートを提案するユーザに対する動機づけとなる。
【００４７】
ユーザデータ２１８は、ユーザのユーザＩＤと、当該ユーザの属性情報を紐付けて記憶したデータである。
ユーザデータ２１８の例を図４（ｃ）に示す。ユーザデータ２１８としては、図に示すように、ユーザのユーザＩＤ１５１と属性情報（ユーザ属性）１５２が紐付けて記憶される。属性情報１５２は、アパレル業者等ファッションの専門家、あるいはそれ以外の一般ユーザなど、ユーザの属性を示すものであるが、これに限ることはなく、前述の公開制限情報１４５と連携させるなどして、様々に定めることができる。
【００４８】
関係者データ２１９は、ユーザの関係者として、ユーザの知人を特定するためのデータである。
関係者データ２１９の例を図４（ｄ）に示す。関係者データ２１９としては、ユーザ（募集者）のユーザＩＤ１５１と紐付けて、募集者の知人として定めるユーザ（提案者）のユーザＩＤ１５１が記憶される。知人のユーザＩＤ１５１は、例えば、募集者端末３より募集者が予め登録する。
【００４９】
サービスデータ２２０は、コーディネートの募集者がコーディネートに含まれる商品を購入した場合に、コーディネートの提案者に特典として付与されるサービス情報を示すデータであり、提案者のユーザＩＤ１５１と紐付けてサービス情報を記憶するものである。サービス情報は、例えば商品購入時に金銭の代わりに使用できるポイントや、商品購入時の割引サービスを行うための、割引率などの情報などである。
【００５０】
提案者端末７は、図３（ｃ）に示すように、服飾品データ受信手段３０１、コーディネート選択手段３０３、コーディネート登録手段３０５を有する。
【００５１】
服飾品データ受信手段３０１は、提案者端末７の制御部３１が、サーバ５から服飾品データ２１１や商品データ２１３を受信しコーディネート選択画面を表示するものである。
コーディネート選択手段３０３は、提案者端末７の制御部３１が、コーディネート選択画面上でのユーザの操作指示に応じて、服飾品データ２１１や商品データ２１３の選択を行いコーディネートを作成するものである。
コーディネート登録手段３０５は、提案者端末７の制御部３１が、上記のコーディネートを示すコーディネートデータ２１５をサーバ５に送信し登録するものである。
【００５２】
次に、服飾コーディネート提案システム１の処理の流れについて説明する。図５〜図７は服飾コーディネート提案システム１の処理の流れを示すフローチャートで、図５は服飾品データ２１１のサーバ５への登録の流れを示し、図６はコーディネートデータ２１５のサーバ５への登録の流れを示し、図７は募集者端末３にコーディネートの表示を行う流れを示す。
【００５３】
まず、服飾品データ２１１のサーバ５への登録について図５を参照して説明する。
【００５４】
募集者であるユーザが、募集者端末３よりユーザＩＤ１５１を入力してサーバ５に送信し、サーバ５による認証を経てサーバ５が提供する服飾品データ登録ページにアクセスすると、募集者端末３の制御部３１は、表示部３６に服飾品データ登録画面（不図示）を表示する。
募集者は、画面上で、自身の服飾品の服飾品データ２１１として、アイテム名１４１、画像データ１４３、およびアイテムスペック１４４を入力するとともに、服飾品データ２１１について前述した公開制限情報１４５を設定する。その後、画面上でのユーザの操作指示により、募集者端末３の制御部３１は、服飾品データ２１１をその公開制限情報１４５とともにサーバ５に送信する（Ｓ１１１）。
【００５５】
サーバ５の制御部１１は、これを受信し、服飾品データ２１１およびその公開制限情報１４５を、募集者のユーザＩＤ１５１と紐付けて記憶部１２に記憶し登録する（Ｓ１１２）。
以上により、募集者の服飾品データ２１１がサーバ５の記憶部１２に記憶される。
【００５６】
次に、図６を参照して、コーディネートデータ２１５のサーバ５への登録の流れについて説明する。
【００５７】
提案者であるユーザが、提案者端末７よりユーザＩＤ１５１を入力してサーバ５に送信し、サーバ５による認証を経てサーバ５が提供する募集者選択ページにアクセスすると、提案者端末７の制御部３１は、表示部３６に、コーディネートを募集している募集者を選択するための募集者選択画面（不図示）を表示する。
提案者が画面上で募集者を選択すると、提案者端末７の制御部３１は、選択した募集者の服飾品データ２１１の送信要求をサーバ５に送信する（Ｓ１２１）。
【００５８】
サーバ５の制御部１１は、当該送信要求を受信して、提案者のユーザＩＤ１５１と、選択された募集者の服飾品データ２１１の公開制限情報１４５等に基づき、当該提案者に応じて公開が許可された服飾品データ２１１を抽出し、商品データ２１３とともに提案者端末７に送信する（Ｓ１２２）。
【００５９】
Ｓ１２２において、例えば、サーバ５の制御部１１は、関係者データ２１９を参照し、提案者のユーザＩＤ１５１が、Ｓ１２１で選択された募集者のユーザＩＤ１５１と紐付いて記憶されていれば、当該提案者をユーザの知人と判定し、公開制限情報１４５の知人公開可否情報１４５ｂが「公開」であるか、または全体公開可否情報１４５ａが「公開」となっている服飾品データ２１１のみ抽出し送信する。
また、ユーザデータ２１８を参照して、提案者のユーザＩＤ１５１に紐付く属性情報１５２がファッションの専門家であることを示すものであれば、当該提案者をファッションの専門家と判定し、公開制限情報１４５の専門家公開可否情報１４５ｃが「公開」であるか、または全体公開可否情報１４５ａが「公開」となっている服飾品データ２１１のみ抽出し送信する。
それ以外であれば、提案者をそれ以外の他人と判定し、公開制限情報１４５の他人公開可否情報１４５ｄが「公開」であるか、または全体公開可否情報１４５ａが「公開」となっている服飾品データ２１１のみ抽出し送信する。
【００６０】
提案者端末７の制御部３１は、上記のように抽出された提案者に応じた服飾品データ２１１、および商品データ２１３をサーバ５から受信し、コーディネート選択画面２１として表示する（Ｓ１２３）。
【００６１】
図８はコーディネート選択画面２１の例を示す図である。
図８のコーディネート選択画面２１においては、アイテム名２２（アイテム名１４１）ごとに、当該アイテム名２２のカテゴリの服飾品データ２１１および商品データ２１３が表示される。また、服飾品データ２１１や商品データ２１３を選択するためのラジオボタン２３も表示される。画面上では、さらに送信ボタン２４も表示される。
【００６２】
コーディネート選択画面２１の服飾品データ２１１としては、前述した公開制限情報１４５等に基づき提案者に公開が許可された服飾品データ２１１のみが表示される。例えば、提案者が関係者データ２１９で判別される募集者の知人である場合、募集者の知人に公開が許可された服飾品データ２１１のみが表示されることになる。
【００６３】
提案者は、各アイテム名２２のカテゴリについて、コーディネート選択画面２１中に示された服飾品データ２１１および商品データ２１３の中でコーディネートとして採用するものを、対応するラジオボタン２３をクリックし選択する（Ｓ１２４）。
このようにしてコーディネートを選択した後、送信ボタン２４をクリックすると、提案者端末７の制御部３１は、選択された服飾品データ２１１または商品データ２１３を、コーディネートデータ２１５としてサーバ５に送信する（Ｓ１２５）。サーバ５の制御部１１は、コーディネートデータ２１５を受信し、募集者のユーザＩＤ１５１および提案者のユーザＩＤ１５１と紐付けて記憶部１２に記憶し登録する（Ｓ１２６）。
【００６４】
以上のようにして、提案者のコーディネートデータ２１５がサーバ５に登録される。
なお、運用上は、提案者が募集者として自身の服飾品データ２１１を上記と同様にサーバ５に登録している場合もあり、この場合、上記のコーディネートとして、提案者自身の服飾品データ２１１を選択し組み合わせることも可能とできる。例えば、上記のＳ１２２でサーバ５の制御部１１が、提案者のユーザＩＤ１５１と対応する提案者自身の服飾品データ２１１も（公開制限情報１４５に関わらず）合わせて提案者端末７に送信し、上記のＳ１２３でユーザの服飾品データ２１１や商品データ２１３と同様にコーディネート選択画面２１として選択可能に表示させる。以降の処理は同様に進めればよい。また、提案者自身の服飾品データ２１１としては、サーバ５に登録したものに限らず、自身の提案者端末７に記憶している服飾品のデータ（画像データ）などを組み合わせてコーディネートを選択できるようにすることも可能である。
また、コーディネートの選択の際には、コーディネートに必ず用いるアイテムを指定するようにしてもよい。例えば、募集者が予め、サーバ５に登録された自身の服飾品データ２１１または商品データ２１３について、コーディネートに必ず用いるアイテムであることを設定しておく。Ｓ１２２では、例えば、上記の設定がされた服飾品データ２１１または商品データ２１３と同一アイテム名１４１のその他の服飾品データ２１１や商品データ２１３は送信せず、設定がなされたもののみ公開制限に関わらず送信することなどが可能である。
【００６５】
次に、図７を参照して、募集者端末３にコーディネートの表示を行う流れについて説明する。
【００６６】
募集者であるユーザが、募集者端末３よりユーザＩＤ１５１を入力してサーバ５に送信し、サーバ５による認証を経てサーバ５が提供するコーディネート提案者選択ページにアクセスすると、募集者端末３の制御部３１は、当該募集者についてコーディネートデータ２１５を登録した提案者の中から所望の提案者を選択するためのコーディネート提案者選択画面（不図示）を表示部３６に表示する。募集者が画面上で提案者を選択すると、募集者端末３の制御部３１は、選択した提案者のコーディネートデータ２１５の送信要求をサーバ５に送信する（Ｓ１３１）。
【００６７】
サーバ５の制御部１１は、当該送信要求を受信して、募集者のユーザＩＤ１５１および選択された提案者のユーザＩＤ１５１に紐付く、上記選択された提案者のコーディネートデータ２１５を募集者端末３に送信する（Ｓ１３２）。
募集者端末３の制御部３１は、コーディネートデータ２１５を受信し、表示部３６にコーディネート表示画面２５として表示する（Ｓ１３３）。
【００６８】
図９はコーディネート表示画面２５の例を示す図である。
コーディネート表示画面２５には、コーディネートを提案した提案者を表示する表示部２６、およびその提案者が作成したコーディネートデータ２１５である、提案者が選択した各アイテム名のカテゴリの服飾品データ２１１または商品データ２１３、さらに、コーディネートに対する評価の高低を選択するためのコーディネート評価部２７、およびコーディネートの評価を送信するための評価送信ボタン２８などが表示される。
【００６９】
募集者は、コーディネート表示画面２５にてコーディネートを見ることができ、自身のコーディネートの参考とすることができる。さらに、コーディネート評価部２７にてコーディネートの評価を選択し、評価送信ボタン２８をクリックすると、募集者端末３の制御部３１は、コーディネートの評価を示すコーディネート評価データをサーバ５に送信する（Ｓ１３４のＹＥＳ）。なお、コーディネートに対する評価は初回に送信したもののみ有効としておく。
【００７０】
サーバ５の制御部１１は、コーディネート評価データを受信し、その評価に応じて、コーディネートを行った提案者のポイントデータ２１７に対してポイントを付与する（Ｓ１３５）。例えば評価が高いほど多くのポイントを付与する。提案者は、このようにしてポイントを加算してゆくことで、例えば、ファッションコーディネートの上級者であるというステータスが得られる。
【００７１】
一方、コーディネート表示画面２５上で、募集者が商品データ２１３を選択すると、サーバ５の制御部１１は、当該商品データ２１３の購入を行うための商品購入画面（不図示）を募集者端末３に表示させる。画面上で募集者が選択した商品データ２１３の商品の購入指示を行うと（Ｓ１３６のＹＥＳ）、サーバ５の制御部１１は、商品の販売に係る処理を行うとともに前述の関係者データ２１９を参照し、コーディネートの提案者が募集者の知人として設定されていれば、提案者のサービスデータ２２０に、提案者に対する特典としてサービス情報を付与する（Ｓ１３７）。
【００７２】
Ｓ１３７において、サーバ５の制御部１１は、サービスデータ２２０として、提案者のユーザＩＤ１５１に紐付けて、前述したような、商品購入時に金銭の代わりに使用できるポイントや、商品購入時の割引サービスを行うための割引率などのサービス情報を付与する処理を行う。
また、前記のポイントデータ２１７のポイントに応じて付与するサービス情報の内容を変更してもよい。例えば、提案者のポイントデータ２１７のポイントが大きいほど、金銭の代わりに使用できる上記のポイントを多く付与したり、割引サービスの割引率を大きくしたりすることができる。ただし、サービス情報としてこれらに限ることなく、提案者に特典を与えるべく様々に定めることができる。
【００７３】
また、上記の例では、コーディネートの提案者が募集者の知人である場合にサービスの付与を行っているが、これに限らず、ユーザデータ２１８を参照して提案者がファッションの専門家である場合にサービス情報の付与を行ってもよく、さらに、上記のような判定を行わないで、提案者が知人あるいは専門家であるかに関わらずサービス情報を付与してもよい。このように、Ｓ１３７では様々な提案者に応じてサービス情報を付与することができる。
【００７４】
このように、本発明の実施形態によれば、コーディネートを募集するユーザは募集者端末３を用いて服飾品データ２１１をサーバ５に登録する。そして、様々なユーザが提案したコーディネートを募集者端末３に表示させて閲覧し、自身のコーディネートの参考とすることができる。この時、服飾品データ２１１に公開制限情報１４５を付すので、コーディネートの提案者に応じて公開する服飾品データ２１１を限定したいというユーザの要望に答えることができる。
【００７５】
本実施形態では、関係者データ２１９やユーザデータ２１８により、関係者としてコーディネートを募集するユーザの知人を特定し、ファッションの趣味趣向をよく知る知人からコーディネートを募集したり、提案者の属性情報１５２としてファッションの専門家を特定しておき、ファッションの専門家からコーディネートを募集することなどが可能である。この時、知人、または専門家にのみ公開したい服飾品データ２１１や、公開したくない服飾品データ２１１の指定を行うことが可能である。ユーザの関係者、または属性情報１５２としてはこれに限らず様々に定めることができ、ユーザとの関係やユーザの属性に応じて、様々な提案者に対し服飾品データ２１１の公開制限を行うことができる。
【００７６】
また、本実施形態では、コーディネートの評価に応じて、提案者にポイントを付与することで、提案者にコーディネートを提案する動機づけを行うことが可能になる。
【００７７】
さらに、本実施形態では、ユーザの服飾品データ２１１に市販の商品も合わせてコーディネートの募集、提案を行うことができ、コーディネートの幅が広がる。また、コーディネートを募集するユーザが、自身の服飾品にあわせて商品を購入する際の参考ともなる。
また、募集者が商品データ２１３の購入を行った場合に、コーディネートの提案者にサービス情報を付与することで、提案者にインセンティブを与えることができ、提案者にコーディネートを提案する更なる動機づけを行うことが可能になる。
【００７８】
以上、添付図を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７９】
１………服飾コーディネート提案システム
３………募集者端末
５………サーバ
７………提案者端末
１０………ネットワーク
２１………コーディネート選択画面
２５………コーディネート評価画面
【図１】
2012243052.tif 000003
【図２】
2012243052.tif 000004
【図３】
2012243052.tif 000005
【図４】
2012243052.tif 000006
【図５】
2012243052.tif 000007
【図６】
2012243052.tif 000008
【図７】
2012243052.tif 000009
【図８】
2012243052.tif 000010
【図９】
2012243052.tif 000011